(57)【要約】【課題】光源を器具本体に取り付けるための部品点数を減らし、取り付け作業性を向上させることができる照明器具を提供すること。【解決手段】照明器具は、一方向に延びる光源の一方が接続されるソケットと、ソケットが取り付けられるソケット取付台と、光源とソケットとの接続部を保持し、ソケット取付台に取り付けられる保持カバーと、を備え、保持カバーは、ソケット取付台側へ延びる一対の爪部を有し、接続部の外周の一部を囲むカバー枠部と、光源の長手方向における爪部の端部に設けられ、ソケット取付台側へ突出するカバー突出部と、を有する。【選択図】図１
2019083093.tif 000002
【特許請求の範囲】
【請求項１】
一方向に延びる光源の一方が接続されるソケットと、
前記ソケットが取り付けられるソケット取付台と、
前記光源と前記ソケットとの接続部を保持し、前記ソケット取付台に取り付けられる保持カバーと、を備え、
前記保持カバーは、
前記ソケット取付台側へ延びる一対の爪部を有し、前記接続部の外周の一部を囲むカバー枠部と、
前記光源の長手方向における前記爪部の端部に設けられ、前記ソケット取付台側へ突出するカバー突出部と、
を有する照明器具。
【請求項２】
前記保持カバーを前記ソケット取付台に固定する固定部材をさらに備え、
前記保持カバーは、
前記爪部から前記ソケット取付台と対向するように延び、前記固定部材により前記ソケット取付台に固定されるカバー固定部を有する
請求項１に記載の照明器具。
【請求項３】
前記爪部は、前記光源の中央側へ延び出した爪延出部を有し、
前記カバー固定部は、前記爪延出部の内側に設けられている
請求項２に記載の照明器具。
【請求項４】
前記カバー突出部は、前記爪延出部における前記光源の中央側の端部に設けられている
請求項３に記載の照明器具。
【請求項５】
前記ソケット取付台は、
前記光源に対向するように設けられ、前記カバー突出部が差し込まれる差込穴と前記固定部材が通されるカバー固定孔とが形成された反射板を有している
請求項２〜４のいずれか一項に記載の照明器具。
【請求項６】
前記ソケット取付台は、
前記光源に対向するように配置され、前記カバー固定部が取り付けられる反射板を有し、
前記カバー突出部は、前記爪部における前記光源の前記ソケット側の端部に設けられている
請求項２に記載の照明器具。
【請求項７】
前記ソケット取付台は、
前記反射板が固定されている取付フレームを有し、
前記取付フレームは、
前記反射板に対向しており、前記反射板が固定されている反射板取付部と、
前記ソケットが取り付けられているソケット取付部と、
前記反射板取付部が前記ソケット取付部よりも前記光源に近く位置するように前記反射板取付部と前記ソケット取付部との間に形成された高低差部と、を有する
請求項６に記載の照明器具。
【発明の詳細な説明】
【技術分野】
【０００１】
本発明は、光源を保持する保持カバーを備える照明器具に関する。
【背景技術】
【０００２】
従来、非常灯等の照明器具では、誤使用防止のため、容易に光源を交換できない構造にする必要がある。このような照明器具において、光源を器具本体に取り付ける保持カバーを備えたものが開示されている（例えば、特許文献１参照）。特許文献１の照明器具において、保持カバーは本体ケースに取り付けられる構成であり、専用の取付金具により本体ケースに固定される。また保持カバーには、位置決め用のピンが設けられている。
【先行技術文献】
【特許文献】
【０００３】
【特許文献１】特開２０１７−４５５５４号公報
【発明の概要】
【発明が解決しようとする課題】
【０００４】
しかしながら、特許文献１においては、専用の取付金具が必要になり、部品点数が多くなる。さらに、正面から作業を行うことができず、保持カバーの位置決め等の作業性が悪化する。
【０００５】
本発明は、上記のような課題を解決するためになされたもので、光源を器具本体に取り付けるための部品点数を減らし、取り付け作業性を向上させた照明器具を提供することを目的とする。
【課題を解決するための手段】
【０００６】
本発明に係る照明器具は、一方向に延びる光源の一方が接続されるソケットと、前記ソケットが取り付けられるソケット取付台と、前記光源と前記ソケットとの接続部を保持し、前記ソケット取付台に取り付けられる保持カバーと、を備え、前記保持カバーは、前記ソケット取付台側へ延びる一対の爪部を有し、前記接続部の外周の一部を囲むカバー枠部と、前記光源の長手方向における前記爪部の端部に設けられ、前記ソケット取付台側へ突出するカバー突出部と、を有する。
【発明の効果】
【０００７】
本発明の照明器具によれば、ソケットが取り付けられるソケット取付台に保持カバーが取り付けられるため、専用の取付金具を別途設ける必要がなく、少ない部品点数で保持カバーを器具本体に取り付けることができる。さらに、カバー突出部が、光源の長手方向における爪部の端部に設けられていることにより、作業者等がカバー突出部の位置を把握し易く、取り付け作業性を向上させることができる。
【図面の簡単な説明】
【０００８】
【図１】本発明の実施の形態１に係る照明器具の正面図である。
【図２】本発明の実施の形態１に係る照明器具の分解斜視図である。
【図３】本発明の実施の形態１に係る照明器具の内部を示す概略図である。
【図４】本発明の実施の形態１に係る照明器具の底面図である。
【図５】図４のＡＡ断面を示す断面図である。
【図６】図４のＢＢ断面を示す断面図である。
【図７】本発明の実施の形態１に係る取付フレームの底面図である。
【図８】本発明の実施の形態１に係る取付フレームの正面図である。
【図９】本発明の実施の形態１に係る取付フレームの内側から見た側面図である。
【図１０】本発明の実施の形態１に係る照明器具のソケット周辺の分解斜視図である。
【図１１】本発明の実施の形態１に係る保持カバーの底面図である。
【図１２】本発明の実施の形態１に係る保持カバーの正面図である。
【図１３】本発明の実施の形態１に係る保持カバーの側面図である。
【図１４】本発明の実施の形態２に係る照明器具の本体カバーと器具本体との組み付けを示す分解斜視図である。
【図１５】本発明の実施の形態２に係る照明器具の器具本体の分解斜視図である。
【図１６】本発明の実施の形態２に係る照明器具のソケット周辺の分解斜視図である。
【図１７】本発明の実施の形態２に係る照明器具のソケット周辺の斜視図である。
【図１８】本発明の実施の形態２に係る保持カバーを示すＸＤ１面の概略図である。
【図１９】本発明の実施の形態２に係る保持カバーを示すＸＤ２面の概略図である。
【図２０】本発明の実施の形態２に係る保持カバーを示すＤ１Ｄ２面の概略図である。
【発明を実施するための形態】
【０００９】
実施の形態１．
図１は、本発明の実施の形態１に係る照明器具の正面図である。図２は、本発明の実施の形態１に係る照明器具の分解斜視図である。図３は、本発明の実施の形態１に係る照明器具の内部を示す概略図である。実施の形態１において照明器具１００はトラス形状を有している。以下、照明器具１００が天井に設置されている場合を例に説明する。
【００１０】
照明器具１００に取り付けられる光源２００は、一方向（矢印Ｘ方向）に延びる直管形ランプであり、例えばＬＥＤ（Ｌｉｇｈｔ  Ｅｍｉｔｔｉｎｇ  Ｄｉｏｄｅ：発光ダイオード）から成る。光源２００は、長手方向（矢印Ｘ方向）の両端部に口金を有しており、各口金は、照明器具１００の２つのソケット１と接続される。以下、長手方向（矢印Ｘ方向）に対する短手方向を矢印Ｙ方向とし、長手方向及び短手方向のそれぞれに対して直交する方向を上下方向（矢印Ｚ方向）とする。
【００１１】
照明器具１００は、器具本体９９と、器具本体９９に取り付けられ、光源２００とソケット１との接続部をそれぞれ保持する２つの保持カバー５と、複数の固定部材９とを備えている。
【００１２】
器具本体９９は、器具本体９９の外枠となる本体ケース１０と、本体ケース１０内に収容された複数の電気部品１４と、給電用及び接地用の２つのソケット１と、各ソケット１を本体ケース１０に取り付けるソケット取付台２とを備えている。本体ケース１０は、光源２００の長手方向（矢印Ｘ方向）に延びた前面１１と背面１２と上面１３とから成り、底面及び左右の側面が開口している。
【００１３】
ソケット取付台２は、反射板４と２つの取付フレーム３とを有しており、反射板４と各取付フレーム３とは、反射板固定部材９２により固定されている。またソケット取付台２には、カバー固定部材９１により保持カバー５が固定される。
【００１４】
各取付フレーム３は、本体ケース１０の開口した左側面又は右側面を塞ぐフレーム端面部３１と、本体ケース１０の開口した底面に配置されるフレーム底面部３２とを有している。フレーム端面部３１には設置穴３１ａが形成されており、設置穴３１ａには、照明器具１００を天井に設置するための図示しない固定枠が取り付けられる。フレーム底面部３２には、本体ケース１０からソケット１を突出させて装着するための開口部３ａが形成されている。一方の取付フレーム３は、本体ケース１０の左側に配置され、開口部３ａの左側の縁部に給電用のソケット１が装着される。他方の取付フレーム３は、本体ケース１０の右側に配置され、開口部３ａの右側の縁部に接地用のソケット１が装着される。
【００１５】
反射板４は、取り付けられる光源２００と対向するように配置され、本体ケース１０の底面の開口を塞ぐ。反射板４の長手方向（矢印Ｘ方向）の両端部には、各ソケット１が貫通する切り欠き部４１が形成されている。各ソケット１は、反射板４の各切り欠き部４１から下方に突出して光源２００の両端を支持する。反射板４は、両端部において、ソケット１が装着された取付フレーム３の開口部３ａを塞ぐように切り欠き部４１の大きさが設定されている。これにより、反射板４の各切り欠き部４１の縁部により、各ソケット１が装着位置に固定される。
【００１６】
複数の電気部品１４としては、例えば、常用電源１４ａと、非常灯ユニット１４ｂと、電源端子台１４ｃと、蓄電池１４ｄと、点検スイッチ１４ｅと、充電表示灯１４ｆとが配置されている。各電気部品１４は、ねじ等により本体ケース１０内に固定されている。
【００１７】
常用電源１４ａは、商用電源が供給される常用時に光源２００を点灯させるものである。常用電源１４ａは、商用電源からの電力を変換し、ソケット１を介して光源２００に電力を供給する。一方、非常灯ユニット１４ｂは、停電時等の非常時に光源２００を点灯させるものである。非常灯ユニット１４ｂは、商用電源から電力が供給されない場合に、蓄電池１４ｄの電力によって動作し、ソケット１を介して光源２００に電力を供給する。
【００１８】
点検スイッチ１４ｅは、本体ケース１０の外に引き出された引き紐１５を備えている。点検スイッチ１４ｅは、引き紐１５が引っ張られたときに、商用電源の供給を遮断し擬似的に停電状態にする。この疑似的な停電状態は、蓄電池１４ｄが寿命であるか否かを確認するものであり、点検時には、引き紐１５が引っ張られたときに、蓄電池１４ｄからの電力で所定時間、光源２００が点灯するか否かが確認される。
【００１９】
充電表示灯１４ｆは、例えばＬＥＤ等から成り、蓄電池１４ｄが充電状態である場合に点灯する。上述した反射板４には、充電表示灯１４ｆが設置されている位置に表示灯開口部４２が形成されており、蓄電池１４ｄの充電状態が照明器具１００の外から確認できるように構成されている。
【００２０】
図４は、本発明の実施の形態１に係る照明器具の底面図である。図５は、図４のＡＡ断面を示す断面図である。図６は、図４のＢＢ断面を示す断面図である。図３〜図６に示されるように、複数の電気部品１４のうち常用電源１４ａ及び非常灯ユニット１４ｂは、他の電機部品に比べて長く、必要とされる照明器具１００の寸法は、常用電源１４ａと非常灯ユニット１４ｂとの位置関係等により違ってくる。このため、図３に示されるように、常用電源１４ａ及び非常灯ユニット１４ｂは、寸法が最も大きい方向が光源２００の長手方向（矢印Ｘ方向）となるように、本体ケース１０内にそれぞれ配置されている。また常用電源１４ａと非常灯ユニット１４ｂとは、長手方向において互いの位置が重複するように前後に対向して配置されている。
【００２１】
図６に示されるように、常用電源１４ａは、断面の第１幅Ｗａ１及び第２幅Ｗａ２のうち寸法が大きい第２幅Ｗａ２の方向が本体ケース１０の背面１２に沿うように配置されている。非常灯ユニット１４ｂは、第１幅Ｗｂ１よりも大きい第２幅Ｗｂ２の方向が本体ケース１０の前面１１に沿うように配置されている。このような構成により、常用電源１４ａと非常灯ユニット１４ｂとを対向して配置させつつ、短手方向（矢印Ｙ方向）の幅を最小限にすることができる。したがって、光源２００にＬＥＤが採用される場合であって、蛍光灯を用いる場合と比べて電気部品１４の設置スペースが多く必要とされるときでも、照明器具１００の短手方向（矢印Ｙ方向）の幅Ｌｙの拡張を抑制することができる。
【００２２】
図７は、本発明の実施の形態１に係る取付フレームの底面図である。図８は、本発明の実施の形態１に係る取付フレームの正面図である。図９は、本発明の実施の形態１に係る取付フレームの内側から見た側面図である。図７〜図９に基づき、ソケット取付台２の取付フレーム３について説明する。以下、給電用のソケット１の周囲の構成について説明するが、接地用のソケット１の周囲の構成についても同様である。また、長手方向（矢印Ｘ方向）において、光源２００の他方の端部に向かう方向を中央側といい、ソケット１に向かう方向をソケット側という。
【００２３】
図８に示されるように、取付フレーム３は、フレーム端面部３１とフレーム底面部３２とにより、Ｌ字状に形成されている。図７〜図９に示されるように、フレーム端面部３１は、器具本体９９の左側面又は右側面を形成する端板３３と、端板３３の周囲に設けられた端板前片３４と端板上片３５と端板後片３６とを有している。端板前片３４は、端板３３の前縁から本体ケース１０の前面１１に沿って延びて、端板後片３６は、端板３３の後縁から本体ケース１０の背面１２に沿って延びている。端板上片３５は、端板３３の上縁から本体ケース１０の上面１３に沿って延びている。フレーム底面部３２は、端板３３の下縁から中央側へ延びており、端板前片３４、端板上片３５及び端板後片３６よりも長手方向（矢印Ｘ方向）に長くなっている。
【００２４】
フレーム底面部３２は、開口部３ａが形成され、反射板４に対向する取付面３７と、取付面３７の前縁に設けられた固定前片３８と、取付面３７の後縁に設けられた固定後片３９とを有している。固定前片３８及び固定後片３９にはそれぞれねじ穴３８ａ、３９ａが形成されており、ねじ等により、固定前片３８は本体ケース１０の前面１１に固定され、固定後片３９は本体ケース１０の背面１２に固定されている。
【００２５】
取付面３７には、保持カバー５をソケット取付台２に取り付けるためのカバー固定部材９１を通すカバー固定穴３７ａが２つ形成されている。２つのカバー固定穴３７ａは、取付面３７の長手方向の中央側に、短手方向（矢印Ｙ方向）に並ぶように形成されている。２つのカバー固定穴３７ａの間には、反射板４を取付フレーム３に取り付けるための反射板固定部材９２を通す反射板固定穴３７ｂが形成されている。
【００２６】
取付面３７の開口部３ａは、端板３３側で短手方向（矢印Ｙ方向）の幅が狭くなっている。また取付面３７の端板３３側にはエンボス３７ｃが形成されている。一方、各ソケット１には図示していないガイドが設けられており、狭くなった開口部３ａの縁部にソケット１のガイドが係合することで、ソケット１が長手方向（矢印Ｘ方向）にスライド可能となり、端板３３側に設けられたエンボス３７ｃにより固定される。
【００２７】
図１０は、本発明の実施の形態１に係る照明器具のソケット周辺の分解斜視図である。図１１は、本発明の実施の形態１に係る保持カバーの底面図である。図１２は、本発明の実施の形態１に係る保持カバーの正面図である。図１３は、本発明の実施の形態１に係る保持カバーの側面図である。
【００２８】
保持カバー５は、光源２００に接続されたソケット１を下方から覆うように、ソケット取付台２に取り付けられている。保持カバー５は、接続部の外周の一部を囲むカバー枠部６と、反射板４に対向するカバー固定部８と、反射板４側へ突出したカバー突出部７とから成る。
【００２９】
図１０及び図１３に示されるように、カバー枠部６は、断面形状が、ソケット１の外形に沿った形状となっている。カバー枠部６の断面形状は例えばＵ字状をしている。カバー枠部６は、反射板４側へ延びる一対の平板状の爪部６１と、一対の爪部６１をつなぐ接続枠部６２とからなる。図１０〜図１３に示されるように、一対の爪部６１は、短手方向（矢印Ｙ方向）に対向するように配置されている。また一対の爪部６１は、接続枠部６２よりも長手方向の中央側へ延出した爪延出部６１ａを有している。図１０のように、光源２００が器具本体９９の下方に配置される構成では、カバー枠部６は、光源２００とソケット１との接続部の下部を支持する。
【００３０】
図１０及び図１３に示されるように、カバー固定部８は、カバー枠部６の各爪部６１の爪延出部６１ａに設けられている。各カバー固定部８は、各爪延出部６１ａの反射板４側の縁部から、互いに近づくように内側に延びている。反射板４に対向する各カバー固定部８には、カバー固定部材９１を通す固定孔８ａがそれぞれ形成されている。各カバー固定部８が各カバー固定部材９１により反射板４及び取付フレーム３に固定されることで、保持カバー５がソケット取付台２に取り付けられる。
【００３１】
このような構成により、作業者が照射方向から照明器具１００を見たときに、カバー固定部８がカバー枠部６の接続枠部６２と重ならない。このため、作業者が下方からドライバ等の工具でカバー固定部材９１を着脱するときに、工具が光源２００に接触することを抑制でき、作業性が向上する。さらに、各カバー固定部８の外側に配置されている各爪延出部６１ａにより、各カバー固定部材９１のねじ頭等が利用者等から見え難くなり、意匠性が向上する。なお、作業に支障がなければ、各爪延出部６１ａの長さを短くして、照射方向から見たときにカバー固定部８がカバー枠部６の接続枠部６２と部分的に重なるようにしてもよい。これにより、意匠性がさらに向上する。
【００３２】
カバー突出部７は、光源２００の長手方向（矢印Ｘ方向）における各爪部６１の端部に設けられている。ここでは、カバー突出部７は、爪延出部６１ａの中央側の端部６１ｅに設けられている。カバー固定部８がソケット取付台２に取り付けられる際、各カバー突出部７が反射板４に引っ掛かることにより保持カバー５が反射板４に位置決めされる。カバー突出部７が長手方向（矢印Ｘ方向）の端部６１ｅに設けられていることにより、作業者からカバー突出部７の位置が把握し易く、作業性がさらに向上する。
【００３３】
図１０に示されるように、保持カバー５と取付フレーム３との間に配置されている反射板４には、取付フレーム３の反射板固定穴３７ｂ及び２つのカバー固定穴３７ａと対向する位置に、フレーム固定孔４７及び２つのカバー固定孔４６が形成されている。そして２つのカバー固定孔４６は、保持カバー５のカバー固定部８に形成された２つの固定孔８ａともそれぞれ対向する。また反射板４には、保持カバー５のカバー突出部７が差し込まれる２つの差込穴４８が形成されている。
【００３４】
反射板４のフレーム固定孔４７と取付フレーム３の反射板固定穴３７ｂに反射板固定部材９２が挿入されて反射板４が取付フレーム３に固定される。保持カバー５は、カバー突出部７が反射板４の差込穴４８に差し込まれることで反射板４に位置決めされる。保持カバー５が反射板４に位置決めされた状態で、カバー固定部８の固定孔８ａと反射板４のカバー固定孔４６と取付フレーム３のカバー固定穴３７ａとにカバー固定部材９１が挿入されて取付フレーム３に反射板４と保持カバー５とが固定される。
【００３５】
なお、取付フレーム３は、本体ケース１０と一体構成されてもよい。また、保持カバー５と取付フレーム３との間に反射板４が配置される場合について説明したが、保持カバー５は、カバー固定部材９１により取付フレーム３に直接固定されてもよい。この場合、取付フレーム３には、反射板固定穴３７ｂを設ける必要はないが、各カバー突出部７が差し込まれる差込穴４８を設ける必要がある。
【００３６】
以上のように、実施の形態１の照明器具１００は、ソケット取付台２に取り付けられる保持カバー５を備えている。保持カバー５は、光源２００の長手方向におけるカバー枠部６の爪部６１の端部６１ｅに、ソケット取付台２側へ突出するカバー突出部７を有している。これにより、ソケット１が取り付けられるソケット取付台２に保持カバー５が取り付けられるため、従来の照明器具のように本体カバーに取り付ける構成と比べて専用の取付金具を設ける必要がなく、部品点数を低減することができる。また部品点数を低減したことにより保持カバー５取り付け時の作業性が向上する。さらに、カバー突出部７が長手方向（矢印Ｘ方向）の端部６１ｅに設けられていることにより、作業者等からカバー突出部７の位置が把握し易く、取り付け時の作業性をさらに良くすることができる。
【００３７】
また保持カバー５は、爪部６１からソケット取付台２と対向するように延びたカバー固定部８を有しており、カバー固定部８はカバー固定部材９１によりソケット取付台２に固定される。これにより、保持カバー５のカバー固定部８を対向するソケット取付台２に固定することができる。したがって、正面から作業をし易くでき、また従来のように、専用の取付金具を設け、専用の取付金具に保持カバーを取り付ける部分と本体カバーに取り付ける部分とを形成する必要がなく取り付け作業を簡素化できる。
【００３８】
また爪部６１は、光源２００の中央側へ延び出した爪延出部６１ａを有し、カバー固定部８は、爪延出部６１ａの内側に設けられている。これにより、取り付け時には工具の光源２００との接触を回避して作業性を向上させることができ、取付後には、爪延出部６１ａにより内側のカバー固定部８が見え難くなり、意匠性を向上させることができる。
【００３９】
またカバー突出部７は、爪延出部６１ａにおける光源２００の中央側の端部６１ｅに設けられている。これにより、カバー突出部７の位置及び長手方向（矢印Ｘ方向）の取り付け方向が判断し易くなり、作業性がさらに向上する。
【００４０】
またソケット取付台２は、光源２００に対向する反射板４を有しており、反射板４には、カバー突出部７が差し込まれる差込穴４８と、固定部材（カバー固定部材９１）が通されるカバー固定孔４６とが形成されている。これにより、保持カバー５の形状と、反射板４に設けられた差込穴４８及びカバー固定孔４６とにより、保持カバー５の取り付け方向が一目で判断でき、取り付け間違いを防止して作業性が向上する。
【００４１】
実施の形態２ ．
図１４は、本発明の実施の形態２に係る照明器具の本体カバーと器具本体との組み付けを示す分解斜視図である。図１５は本発明の実施の形態２に係る照明器具の器具本体の分解斜視図である。実施の形態２の照明器具３００において、筐体内には、左右方向（矢印Ｘ方向）に延びる２本の光源が収容されており、上側に非常灯２００ａが配置され、下側に常用灯２００ｂが配置されている。各光源は、実施の形態１の光源２００と同様に、ＬＥＤ等からなる直管形ランプである。ここでは、照明器具３００が、階段の踊り場等に取り付けられる非常用照明器具である場合を例に説明する。以下、実施の形態２において、実施の形態１と共通する構成については同一の符号を付して説明を省略し、実施の形態１との相違点を中心に説明する。
【００４２】
照明器具３００は、器具本体３９９と、器具本体３９９を覆う本体カバー３１６とから成る。本体カバー３１６は、背面が開口した箱状に形成されており、ケース枠３１７と、前面カバー３１８と、底面カバー３１９とを有している。ケース枠３１７の左右の側面にはそれぞれ、本体カバー３１６を器具本体３９９に取り付けるための枠固定ねじ３１２が通されるねじ穴３１７ａが形成されている。
【００４３】
ケース枠３１７は金属からなり、ケース枠３１７の前面及び底面は、それぞれ縁を残して開口している。前面カバー３１８は、ケース枠３１７の前面の開口を塞ぐように配置され、底面カバー３１９は、ケース枠３１７の底面の開口を塞ぐように配置される。前面カバー３１８及び底面カバー３１９は、例えばガラス等からなり、２つの光源からの光を透過させる。
【００４４】
器具本体３９９は、本体ベース３１１と、複数の電気部品１４と、２つの光源と、各光源の給電用及び設置用のソケット３０１ａ、３０１ｂと、ソケット取付台３０２と、２つの保持カバー３０５と、複数の固定部材と備えている。
【００４５】
本体ベース３１１は、例えば矩形の板金材からなり、本体カバー３１６の開口した背面を塞いでいる。本体ベース３１１の縁部には、板金が折り曲げられてフランジ３１１ａが形成されている。フランジ３１１ａには、枠固定ねじ３１２が挿入される枠固定穴３１１ｂが形成されている。また本体ベース３１１には後方へ凹んだベース凹部３１１ｃが形成されており、ベース凹部３１１ｃに複数の電気部品１４が配置されている。
【００４６】
ソケットは、ソケット取付台３０２の長手方向（矢印Ｘ方向）の両端部にそれぞれ２つずつ配置されている。上側の一対のソケット３０１ａには非常灯２００ａの口金が接続され、下側の一対のソケット３０１ｂには常用灯２００ｂの口金が接続されている。各ソケットと光源との接続部は、ソケット取付台３０２に取り付けられた保持カバー３０５により保持されている。
【００４７】
ソケット取付台２は、４つのソケット３０１ａ、３０１ｂを本体ベース３１１に取り付けるものである。ソケット取付台２は、非常灯２００ａ及び常用灯２００ｂに対向する反射板３０４と、２つの取付フレーム３０３とを有している。反射板３０４は、反射板固定部材３９２により、各取付フレーム３０３に固定されている。
【００４８】
各取付フレーム３０３は、ベース凹部３１１ｃの外側に設置されている。一方の取付フレーム３０３はベース凹部３１１ｃの左側に配置され、他方の取付フレーム３０３はベース凹部３１１ｃの右側に配置されている。各取付フレーム３０３は、本体ベース３１１から一定のθ角度、前方に傾斜したフレーム傾斜部３３２と、フレーム傾斜部３３２の上端から本体ベース３１１に向かって延びるフレーム上面部３３１とを有し、断面がＶ字形状となっている。
【００４９】
フレーム傾斜部３３２は、ソケット取付部３３５と、反射板取付部３３７と、高低差部３３６とを有している。ソケット取付部３３５には、給電用又は接地用の２つのソケット３０１ａ、３０１ｂを前方に突出させて装着するための２つの開口部３３２ａが形成されている。反射板取付部３３７は、反射板３０４と対向するように、ソケット取付部３３５よりも光源の長手方向（矢印Ｘ方向）中央側に設けられている。反射板取付部３３７には、反射板固定部材３９２が挿入される反射板固定穴３３７ａが形成されている。高低差部３３６は、ソケット取付部３３５と反射板取付部３３７との間に設けられている。高低差部３３６は、例えば階段状の段差であり、反射板取付部３３７をソケット取付部３３５よりも前方に位置されるものである。つまり、高低差部３３６により、反射板取付部３３７は、ソケット取付部３３５よりも光源に近くなっている。
【００５０】
また取付フレーム３０３は、フレーム上面部３３１の後縁に設けられたフレーム上片３３３と、フレーム傾斜部３３２の下縁に設けられたフレーム下片３３４とを有している。フレーム上片３３３及びフレーム下片３３４はそれぞれ、ねじ等により本体ベース３１１に固定されている。
【００５１】
反射板３０４は、例えば矩形の板金材からなり、左側に配置された給電用の２つのソケット３０１ａ、３０１ｂと、右側に配置された接地用の２つのソケット３０１ａ、３０１ｂとの間に配置されている。反射板３０４には、各取付フレーム３０３の反射板固定穴３３７ａと対向する位置に、各反射板固定部材３９２が通されるフレーム固定孔３４７が形成されている。
【００５２】
反射板３０４は、フレーム傾斜部３３２の反射板取付部３３７に固定されているため、本体ベース３１１からθ角度前方に傾斜しており、複数の電気部品１４が設置されたベース凹部３１１ｃの前方及び下方を覆っている。反射板３０４の長手方向（矢印Ｘ方向）の長さは、ソケット３０１ａ及びソケット３０１ｂが装着された各ソケット取付部３３５の各開口部３３２ａを覆うように設定される。反射板３０４の長手方向（矢印Ｘ方向）の端部３０４ｅにより、各ソケット３０１ａ、３０１ｂが装着位置に固定される。
【００５３】
反射板３０４の下部には、本体ベース３１１に沿うように折り曲げられた下部フランジ３４２が形成されており、反射板３０４の上部には、本体ベース３１１へ近づくように折り曲げられた上部フランジ３４１が形成されている。このようにソケット取付台３０２が構成されていることにより、ベース凹部３１１ｃと反射板３０４との間の空間は、上側で、前後方向（矢印Ｙ方向）の奥行きが広くなる。
【００５４】
ここで、複数の電気部品１４のうち、例えば常用電源１４ａ及び非常灯ユニット１４ｂは、他の電気部品に比べて大きく、ベース凹部３１１ｃに設置されたときの凹部底面３１１ｄからの高さが高くなる。そのため、常用電源１４ａ及び非常灯ユニット１４ｂは、奥行きが広いベース凹部３１１ｃの上側に設置されている。これにより、照明器具３００の上下方向（矢印Ｚ方向）の幅が大きくなるのを抑制することができる。
【００５５】
また反射板３０４の両端部３０４ｅにはそれぞれ、端部３０４ｅに沿うように非常灯２００ａの上下の位置に２つのカバー固定穴３４６が形成されている。各カバー固定穴３４６には、反射板３０４に保持カバー３０５を固定するための各カバー固定部材３９１が挿入される。
【００５６】
上述したように、反射板３０４は、本体ベース３１１からθ角度前傾している。以下、照明器具３００の上下方向（矢印Ｚ方向）からθ角度前方に傾いた方向をＤ１方向と定義し、Ｄ１方向に垂直な方向をＤ２方向と定義して説明する。
【００５７】
図１６は、本発明の実施の形態２に係る照明器具のソケット周辺の分解斜視図である。図１７は、本発明の実施の形態２に係る照明器具のソケット周辺の斜視図である。図１８は、本発明の実施の形態２に係る保持カバーを示すＸＤ１面の概略図である。図１９は、本発明の実施の形態２に係る保持カバーを示すＸＤ２面の概略図である。図２０は、本発明の実施の形態２に係る保持カバーを示すＤ１Ｄ２面の概略図である。図１６及び図１７には、接地用の２つのソケット３０１ａ、３０１ｂの周囲の構成が示されているが、給電用のソケット３０１ａ、３０１ｂの周囲の構成についても同様である。
【００５８】
図１６〜図２０に基づき、保持カバー３０５の構成について説明する。保持カバー３０５は、ソケット３０１ａと非常灯２００ａとの接続部の外周の一部を囲むカバー枠部３０６と、反射板３０４に対向するカバー固定部３０８と、反射板３０４側に突出したカバー突出部３０７とから成る。
【００５９】
カバー枠部３０６は、断面がコの字形状となっており、反射板３０４側へ延びる一対の爪部３６１と、一対の爪部３６１をつなぐ接続枠部３６２とからなる。一対の爪部３６１は、Ｄ１方向に対向するように配置される。
【００６０】
カバー固定部３０８は、カバー枠部３０６の各爪部３６１に設けられている。各カバー固定部３０８は、各爪部３６１の反射板３０４側の縁部から、互いに離れるように外側に延びている。反射板３０４に対向した各カバー固定部３０８には、カバー固定部材３９１が通される固定孔３０８ａがそれぞれ形成されている。取付フレーム３０３に固定されている反射板３０４に、各カバー固定部材３９１により各カバー固定部３０８が固定されることで、保持カバー３０５がソケット取付台３０２に取り付けられる。
【００６１】
カバー突出部３０７は、光源の長手方向（矢印Ｘ方向）における各爪部３６１のソケット側の端部３６１ｅに設けられている。このような保持カバー３０５は、例えば、断面コの字形状の部材から容易に形成される。例えば、部材の対向する面において、非常灯２００ａとソケット３０１ａとの接続位置に切り込みを設け、長手方向（矢印Ｘ方向）の中央側が外側に折り曲げられることにより、カバー固定部３０８とカバー突出部３０７とが形成される。
【００６２】
各カバー突出部３０７が反射板３０４の端部３０４ｅに引っ掛けられることで、保持カバー３０５が長手方向（矢印Ｘ方向）に位置決めされる。また、保持カバー３０５が端部３０４ｅに沿ってＤ１方向にスライドされ、各カバー固定部３０８の固定孔３０８ａと反射板３０４の各カバー固定穴３４６とが重ね合わされて、保持カバー３０５がＤ１方向に位置決めされる。そしてカバー固定部材３９１が、固定孔３０８ａ及びカバー固定穴３４６に挿入されて、保持カバー３０５が反射板３０４に固定される。
【００６３】
以上のように、実施の形態２の照明器具３００においても、保持カバー３０５は、ソケット取付台３０２に取り付けられる。そして保持カバー３０５は、光源（非常灯２００ａ）の長手方向におけるカバー枠部３０６の爪部３６１の端部３６１ｅに、カバー突出部７を有している。これにより、実施の形態２の照明器具３００においても、実施の形態１の場合と同様に、部品点数を低減し、取り付け時の作業性を良くすることができる。
【００６４】
またソケット取付台３０２は、光源（非常灯２００ａ）に対向するように配置され、カバー固定部３０８が取り付けられる反射板３０４を有し、カバー突出部３０７は、爪部３６１における光源のソケット側の端部３６１ｅに設けられている。これにより、保持カバー５のカバー固定部８を対向する反射板３０４に固定することができるため、正面から作業が行い易く、また従来のように専用の取付金具を設ける必要がないため、部品点数を低減することができる。また、カバー突出部３０７がソケット側の端部３６１ｅに設けられていることにより、反射板３０４を位置決めに用いることができ、さらに構造を簡素化できる。
【００６５】
また取付フレーム３０３は、反射板取付部３３７をソケット取付部３３５よりも光源（非常灯２００ａ）近くに位置させる高低差部３３６を有している。これにより、差込穴４８等を形成せずに反射板３０４の端部３０４ｅによって保持カバー５の位置決めをすることができ、簡単な構成で、取り付け間違いの防止と位置決めとを行うことができる。また反射板３０４を短く設定することができる。
【００６６】
なお、本発明の実施の形態は上記実施の形態に限定されず、種々の変更を行うことができる。例えば、カバー枠部の形状は、実施の形態２においても実施の形態１の場合と同様に断面がＵ字形状であってもよい。
【符号の説明】
【００６７】
１、３０１ａ、３０１ｂ  ソケット、２、３０２  ソケット取付台、３、３０３  取付フレーム、３ａ  開口部、４、３０４  反射板、５、３０５  保持カバー、６、３０６  カバー枠部、７、３０７  カバー突出部、８、３０８  カバー固定部、８ａ、３０８ａ  固定孔、９  固定部材、１０  本体ケース、１１  前面、１２  背面、１３  上面、１４  電気部品、１４ａ  常用電源、１４ｂ  非常灯ユニット、１４ｃ  電源端子台、１４ｄ  蓄電池、１４ｅ  点検スイッチ、１４ｆ  充電表示灯、１５  引き紐、３１  フレーム端面部、３１ａ  設置穴、３２  フレーム底面部、３３  端板、３４  端板前片、３５  端板上片、３６  端板後片、３７  取付面、３７ａ  カバー固定穴、３７ｂ  反射板固定穴、３７ｃ  エンボス、３８  固定前片、３８ａ  ねじ穴、３９  固定後片、３９ａ  ねじ穴、４１  切り欠き部、４２  表示灯開口部、４６  カバー固定孔、４７  フレーム固定孔、４８  差込穴、６１、３６１  爪部、６１ａ  爪延出部、６１ｅ  端部、６２、３６２  接続枠部、９１、３９１  カバー固定部材、９２、３９２  反射板固定部材、９９、３９９  器具本体、１００、３００  照明器具、２００  光源、２００ａ  非常灯、２００ｂ  常用灯、３０４ｅ  端部、３０５  保持カバー、３１１  本体ベース、３１１ａ  フランジ、３１１ｂ  枠固定穴、３１１ｃ  ベース凹部、３１１ｄ  凹部底面、３１２  枠固定ねじ、３１６  本体カバー、３１７  ケース枠、３１７ａ  ねじ穴、３１８  前面カバー、３１９  底面カバー、３３１  フレーム上面部、３３２  フレーム傾斜部、３３２ａ  開口部、３３３  フレーム上片、３３４  フレーム下片、３３５  ソケット取付部、３３６  高低差部、３３７  反射板取付部、３３７ａ  反射板固定穴、３４１  上部フランジ、３４２  下部フランジ、３４６  カバー固定穴、３４７  フレーム固定孔、３６１ｅ  端部。
【図１】
2019083093.tif 000003
【図２】
2019083093.tif 000004
【図３】
2019083093.tif 000005
【図４】
2019083093.tif 000006
【図５】
2019083093.tif 000007
【図６】
2019083093.tif 000008
【図７】
2019083093.tif 000009
【図８】
2019083093.tif 000010
【図９】
2019083093.tif 000011
【図１０】
2019083093.tif 000012
【図１１】
2019083093.tif 000013
【図１２】
2019083093.tif 000014
【図１３】
2019083093.tif 000015
【図１４】
2019083093.tif 000016
【図１５】
2019083093.tif 000017
【図１６】
2019083093.tif 000018
【図１７】
2019083093.tif 000019
【図１８】
2019083093.tif 000020
【図１９】
2019083093.tif 000021
【図２０】
2019083093.tif 000022